(57)【要約】      （修正有）【課題】２４時間循環濾過装置において、ヘアキャッチャー、加圧ポンプ、濾過器、加熱器、配管などに付着するヌルを、薬剤による薬注殺菌法によらないで除去し、また雑菌は繁殖し難くヌルが付着し難いシステムとする。【解決手段】給水管１３と戻り管１４などの配管は凹凸の少ない内面とし、屈曲を少なくすることにより滑らかな流れを作り、配管内では流体速度を高め、濾過器１１では流速を低くするように設計施工し、付着したヌルは循環システム全体を定期的に高温加熱することにより早期に除去する。【選択図】図１
2005296943.tif 000002
【特許請求の範囲】
【請求項１】
循環槽から循環水を吸水し、所定の循環経路にて循環水を濾過及び浄化している24時間循環濾過装置で、HC、加圧ポンプ、濾過器、加熱器、配管など各設備機器内に付着する有機質、無機質を主体とする汚泥状のヌルを高温加熱することにより、ヌル及び濾過された汚物を、分解し、揮発性物質などに変える事で、濾過器能力の寿命を延ばすと言う方法の提案をする。
【請求項２】
循環槽から循環水を吸水し、所定の循環経路にて循環水を濾過及び浄化している24時間循環濾過装置で、HC、加圧ポンプ、濾過器、加熱器、配管など各設備機器内に付着しやすい有機質、無機質を主体とする汚泥状のヌルの分解温度の設定値を６0℃以上加熱し、設定時間内３秒〜30分間の保持を行なう事で、循環槽内及び循環濾過器内のヌルを除去する方法を提案する。
【請求項３】
循環槽から循環水を吸水し、所定の循環経路にて循環水を濾過及び浄化している24時間循環濾過装置であって、吸水管、戻り管などの配管内では循環水の流速を1０〜４０％程度速くし、有機質、無機質を主体とする汚泥状のヌルが付着し難く、又、逆に濾過器内では１０〜４０％程度遅くする事で、有機質、無機質を主体とする汚泥状のヌルを捕獲やすい循環濾過器を提案する。
【請求項４】
循環槽から循環水を吸水し、所定の循環経路にて循環水を濾過及び浄化している24時間循環濾過装置で、循環槽、HC、加圧ポンプ、濾過器、加熱器、配管など各設備機器の加熱工程中は常温になるまで、人が循環槽室に入室できない様出入口に加熱工程中の表示と施錠を実施し、注意を促がし安全な方法の提案をする。
【請求項５】
循環槽から循環水を吸水し、所定の循環経路にて循環水を濾過及び浄化している24時間循環濾過装置で、HC、加圧ポンプ、濾過器、加熱器、配管など各循環設備機器の加熱を定期的に実施する事で、循環水流に浮遊してくるヌルの除去と同時に、循環槽、循環機器の洗浄、脱臭効果も行えると言う、安全で、安心な、クリーンを保つ方法の提案をする。  
【発明の詳細な説明】
【技術分野】
【０００１】
本発明は循環槽から循環水を吸水し、所定の循環経路にて循環水を濾過及び浄化している24時間循環濾過装置であり、HC、加圧ポンプ、濾過器、加熱器、及び繋ぎ込み配管など、その他の附帯の各循環設備機器内に蓄積される有機、無機質、鉄等の含有物質を主体とするヌルを始め、汚染物質を高温加熱により分解、揮発させ、循環設備機器内の不純物を除去するという洗滌方法と装置に関するものである。
【背景技術】
【０００２】
レジオネラ属菌は1978年に発見されてから現在までに数10種類の菌種が判明され、塵埃と共に水利用施設に混入してくる土壌菌である。地球のあらゆる地表上に生息し、塵埃と共に空気中に舞いあがり、20℃以上の淡水設備機器に入りこみ、冷却塔・空調設備・給湯設備・プール等を始め、特に現在循環風呂での事故は多発し、大きな社会問題となっている。また、寄生菌としても知られており、大腸菌等の雑菌の体内に寄生するので薬剤にも強い菌で、現在では最良の殺菌方法がないとされている。
【０００３】
地球上のあらゆる場所には、生物は生存していると言われている。灼熱の砂漠、極寒の北極、南極、寒温差の激しい地域にも生存しているが、一定の流速が有る清水中には生物は生存できないと言われている。本来なら循環器の中でも増殖活動は出来ない筈だが、循環機器内での流速の遅くなる場所に、人肌から出る脂垢物、石鹸の洗いカス、水の腐敗等から出来るヌルが付着する。ヌルの中で生息する雑菌が時々ヌルに混じって循環水流に浮遊する、従って、循環濾過器全体で雑菌が繁殖する事となる。
【０００４】
これらの菌の繁殖によりお風呂の設備機器にも大きな影響を与え、ジャグジー・バイブラ等からの泡が弾けた時に人に飛散、吸引され、レジオネラ属菌によるレジオネラ肺炎などの感染源として危険性が高いとされ、現在ではジャグジー、バイブラなどの設備利用は、控えるように厚生省から指導され、折角の施設が利用できない。
【発明の開示】
【発明が解決しようとする課題】
【０００５】
今までは循環設備機器内に生息する微生物、雑菌等の殺菌には種種の機器が開発され提案をされているが、殆どが殺菌機器の中まで雑菌が流れて来ないと駄目、循環水速度が速く、雑菌との接触時間が短いので、殺菌効果が充分にでなかった。
【０００６】
設備機器の隅々まで殺菌を確実に行なために、薬剤を主体とした薬注殺菌法は浮遊している雑菌が薬剤に接触する事で死滅し、殺菌効果が高く、信頼性が有ると言われているが、薬剤のヌルへの浸透性がない為に、ヌルの中に隠れている雑菌には効果は全くない、
【０００７】
前記の様な、雑菌は単独で、水中に浮遊しているのではなく、有機質、無機質鉄化合物などを含んだ設備機器内に付着するヌル及び汚染物質等の中に生息しており、時々、これらのヌルと共に循環水の中を流れ出して来る為、常に薬剤濃度を高く保ち、残留性の高い殺菌効果が求められる、この薬剤はこれらの施設を利用する人には大変有害となる。
【０００８】
従って循環機器の安全で安心して利用できる設備にする為には、根本的な対策としては、ヌルを除去する事が求められるのである。
【課題を解決するための手段】
【０００９】
有機質、無機質、鉄含有物を含むヌルの完全除去を図り、雑菌類の繁殖し難いシステムにする為に、次のような手段を取る。
１配管内面が凹凸の少ない引っ掛り難い材質の配管を選定する。
２配管の屈曲、役物の使用を極力減し、滑らかな流れをするシステム造りをする。
３配管径を算出された径より細く、流体速度を１０〜４０％速めるか、又は、濾過器容量を大きくして１０〜４０％流体速度を遅くするように設計施工をする。
４配管ルートを極力短くして、負荷抵抗を減らし、淀みを少なくした、設計施工とする。
５循環システムを高温加熱し、3秒から３０分間に渡り温度を保持し、ヌルを分解、溶融させ、早期にヌルを除去する。
【００１０】
ヌルの完全除去を図り、高温域まで温度を上昇させ、その温度を数分間保つ事により、循環機器内、配管内に付着している有機質や無機質を分解、揮発、蒸発させヌルを除去することで、濾過能力の回復が出来、これにより数日間から長期間の雑菌の繁殖を抑える高温加熱洗滌法を提案する。
【００１１】
循環システム高温加熱洗浄法を安全に使用する為には、循環濾過システムの動作確認後、５管理室のメインSWをＯＮに入れ、８浴室内部に人の有無を確認後、
２現状確認用ＳＷをＯＮとすると、４高温加熱洗浄法の動作中の表示と動作ランプを点灯し、３出入り口戸が外部から入れない様に施錠する。動作異常が無ければ、加熱ヒータを作動させ高温加熱洗浄法が始まる。安全上２現状確認用SWを８浴室が確認できる位置に設置し，２現状確認用SWが入力されてから、作動するように設計をする。（特に現状確認用SWを優先させる。）
【００１２】
循環システム高温加熱洗浄法を安全に使用する為には、高温加熱洗浄法を実施中は浴室の入り口には現状確認用SWを入力と同時に施錠し、安全常温になるまで解錠しない、人が無闇に入室出来ない様に、安全システムを最優先させる。
【００１３】
高温域での設定温度、設定時間が経過後、12加熱ヒータがＯＦＦになり、そのまま自然下温させる。時間の許す限り自然下温させ、急冷による温度差で、循環濾過システムに負荷を掛けない様に考慮する。
【００１４】
循環水が常温まで下がったのを確認後、３出入り口戸の施錠を解錠し、同時に、４高温加熱洗浄法の動作中の表示と動作ランプを消灯して、作業を終了する。
【発明の効果】
【００１５】
高温加熱洗浄法を取り入れる事により今まで、塩素による温泉の泉質が変わるとして嫌われた塩素殺菌法と違い、薬剤を使用しないので温泉の泉質が変わる事はなく、濾過洗浄能力が回復するので循環濾過器洗浄の期間が延ばすことが出来る。
【００１６】
高温加熱洗浄法を取り入れる事により、循環水の腐敗臭がなくなり、熱湯及び湯気にて浴槽、及び、浴室の壁面のカビ、汚れも除去でき、長期に渡り効果が得られる。
【発明を実施するための最良の形態】
【００１７】
熱湯による火傷と言う危険性を充分に考慮し、日常点検、耐熱、安全システム導入すれば、人に優しく、安全で、確実性のある高温過熱洗浄法となる。
【図面の簡単な説明】
【００１８】
【図１】全体図。
【図２】安全システム図
【図３】システムの動作図
【符号の説明】
【００１９】
1−メイン電源SW       ２−現状確認用SW       ３−開閉戸施錠               
４−高温加熱洗浄動作中表示と表示灯    ５−管理室       ６−脱衣場
７−浴槽（循環槽）    ８−浴室        ９―HCタンク    10−加圧ポンプ
11−濾過タンク        12−加熱ヒータ  13−給水管       14−戻り管
15−温度センサー      16−機械室      17−洗い場（カラン）
18−洗面台            19−ロッカー  
【図１】
2005296943.tif 000003
【図２】
2005296943.tif 000004
【図３】
2005296943.tif 000005